(57)【特許請求の範囲】
【請求項１】
操作部材が露出する筐体と、
前記筐体内に設けられ、前記操作部材の内側部に対向する第１面を有する導電性のフレーム部材と、
前記筐体内に、前記第１面に沿う所定方向において前記フレーム部材から離間して設けられたアンテナと、
前記フレーム部材の前記アンテナ側の端部に固定され、前記第１面に連続する第２面を有する非導電性の延長部材と、
前記第１面及び前記第２面に積層され、前記操作部材の内側部に対向する実装面を有し、当該実装面に前記操作部材を介して操作される複数のスイッチが配されるキー基板と、
前記延長部材に設けられ、前記筺体内に配される電子部品と、
を有し、
前記アンテナと前記延長部材とは、それぞれの一部が互いに対向する位置関係であり、
前記電子部品は、前記延長部材における、前記アンテナに対向しない領域に設けられている
携帯無線装置。
【請求項２】
前記フレーム部材は、前記第１面の背面側へ突出し、前記アンテナ側に面する第１壁部を有し、
前記延長部材は、
前記フレーム部材の、前記第１面の背面側且つ前記第１壁部よりも前記アンテナ側の部分に当接し、前記フレーム部材にネジにより固定される当接部と、
前記当接部から前記第１面の背面側へ突出し、前記第１壁部と壁面同士が当接する第２壁部と、を有する
請求項１に記載の携帯無線装置。
【請求項３】
前記電子部品は、前記筐体に形成された開口から露出する端子部品である
請求項１又は２に記載の携帯無線装置。
【請求項４】
前記筐体は、前記第１面及び前記第２面の側方且つ前記所定方向の側方に、前記フレーム部材及び前記延長部材を挟んで対向する一対の側面部を有し、
前記延長部材は、一方の前記側面部に対向する位置から他方の前記側面部に対向する位置に亘って設けられ、
前記端子部品は、前記延長部材の前記一対の側面部に対向する両端面にそれぞれ設けられ、前記一対の側面部にそれぞれ形成された前記開口から露出している
請求項３に記載の携帯無線装置。
【請求項５】
前記キー基板は、可撓性を有する基板であるとともに、前記第１面及び前記第２面に亘って前記複数のスイッチが配置されたスイッチ配置部と、当該スイッチ配置部の周縁から延在され、前記スイッチ配置部に対して折り曲げられて前記端面に配置された延在部とを有し、
前記端子部品は、前記延在部に実装されており、
前記延長部材は、前記延在部に対して、折り曲げ状態を維持するよう係合可能な係止部を有する
請求項４に記載の携帯無線装置。
【請求項６】
電気音響変換部を更に有し、
前記延長部材は、前記第２面の裏側に、前記電気音響変換部が配置される凹部が形成され、当該凹部の底面には、前記第２面側に通じる音孔が形成されている
請求項１から５のいずれか１項に記載の携帯無線装置。
【発明の詳細な説明】
【技術分野】
【０００１】
本発明は、携帯電話機、ＰＤＡ、ゲーム機等の携帯無線装置に関する。
【背景技術】
【０００２】
携帯無線装置全体としての強度を保ちつつ薄型化を図るために、シールドケースに兼用される導電性のフレームを筐体内に有する携帯無線装置が知られている。このような携帯無線装置では、フレームがアンテナの放射特性に及ぼす影響を低減するために、アンテナはフレームから離間される必要がある。その結果、筐体の小型化を十分に図れない。
【０００３】
そこで、特許文献１〜３に開示された携帯無線装置では、フレームのアンテナに対向する部分を切り欠き、切り欠いた部分に非導電性部材を配置している。そして、フレーム及び非導電性部材には、ユーザの操作を受け付けるためのスイッチが配置されたキー基板が配置される。これにより、フレームのアンテナの放射特性に及ぼす影響を低減しつつ、アンテナ上も基板の配置位置として利用している。その結果、携帯無線装置が小型化されつつ、操作部の面積が確保される。
【特許文献１】特開２００６−１２１６３０号公報
【特許文献２】特開２００６−２３８２０４号公報
【特許文献３】特開２００７−１５８６３２号公報
【発明の開示】
【発明が解決しようとする課題】
【０００４】
携帯無線装置は、更なる小型化が要求されている。一方、フレームに並べて配置される非導電性部材の利用方法については、特許文献１〜３の存在に関わらず、なお検討の余地がある。例えば、特許文献１〜３では、非導電性部材がアンテナの放射特性へ及ぼす影響が小さいことのみに着目しており、非導電性部材の絶縁性には着目していない。また、キー基板の配置以外の用途についても開示されていない。そして、非導電性部材をより効果的に利用することにより、筐体内部の部品配置をより好適化することが可能である。
【０００５】
本発明の目的は、筐体内部の部品配置を好適化して筐体の小型化を図ることができる携帯無線装置を提供することにある。
【課題を解決するための手段】
【０００６】
本発明の携帯無線装置は、操作部材が露出する筐体と、前記筐体内に設けられ、前記操作部材の内側部に対向する第１面を有する導電性のフレーム部材と、前記筐体内に、前記第１面に沿う所定方向において前記フレーム部材から離間して設けられたアンテナと、前記フレーム部材の前記アンテナ側の端部に固定され、前記第１面に連続する第２面を有する非導電性の延長部材と、前記第１面及び前記第２面に積層され、前記操作部材の内側部に対向する実装面を有し、当該実装面に前記操作部材を介して操作される複数のスイッチが配されるキー基板と、前記延長部材に設けられ、前記筺体内に配される電子部品と、を有する。
【０００７】
好適には、前記アンテナと前記延長部材とは、それぞれの一部が互いに対向する位置関係であり、前記電子部品は、前記延長部材における、前記アンテナに対向しない領域に設けられている。
【０００８】
好適には、前記フレーム部材は、前記第１面の背面側へ突出し、前記アンテナ側に面する第１壁部を有し、前記延長部材は、前記フレーム部材の、前記第１面の背面側且つ前記第１壁部よりも前記アンテナ側の部分に当接し、前記フレーム部材にネジにより固定される当接部と、前記当接部から前記第１面の背面側へ突出し、前記第１壁部と壁面同士が当接する第２壁部と、を有する。
【０００９】
好適には、前記電子部品は、前記筐体に形成された開口から露出する端子部品である。
【００１０】
好適には、前記筐体は、前記第１面及び前記第２面の側方且つ前記所定方向の側方に、前記フレーム部材及び前記延長部材を挟んで対向する一対の側面部を有し、前記延長部材は、一方の前記側面部に対向する位置から他方の前記側面部に対向する位置に亘って設けられ、前記端子部品は、前記延長部材の前記一対の側面部に対向する両端面にそれぞれ設けられ、前記一対の側面部にそれぞれ形成された前記開口から露出している。
【００１１】
好適には、前記キー基板は、可撓性を有する基板であるとともに、前記第１面及び前記第２面に亘って前記複数のスイッチが配置されたスイッチ配置部と、当該スイッチ配置部の周縁から延在され、前記スイッチ配置部に対して折り曲げられて前記端面に配置された延在部とを有し、前記端子部品は、前記延在部に実装されており、前記延長部材は、前記延在部に対して、係合可能な係止部を有する。
【００１２】
好適には、電気音響変換部を更に有し、前記延長部材は、前記第２面の裏側に、前記電気音響変換部が配置される凹部が形成され、当該凹部の底面には、前記第２面側に通じる音孔が形成されている。
【発明の効果】
【００１３】
本発明によれば、筐体内部の部品配置を好適化して筐体の小型化を図ることができる。
【発明を実施するための最良の形態】
【００１４】
図１は、本発明の実施形態に係る携帯電話機１の斜視図である。なお、図１では、携帯電話機１を充電するための充電台１０１も模式的に示されている。
【００１５】
携帯電話機１は、いわゆるストレートタイプの携帯電話機により構成されており、一の筐体３を有している。筐体３は、例えば、概ね直方体状に形成されており、互いに対向する正面部３ａ及び背面部３ｂと、正面部３ａ及び背面部３ｂに交差（直交）する２つの側面部３ｃと、正面部３ａ、背面部３ｂ及び側面部３ｃに交差（直交）する第１端面３ｄ及び第２端面３ｅとを有している。２つの側面部３ｃ、第１端面３ｄ及び第２端面３ｅは、正面部３ａ及び背面部３ｂの外周を囲む周面部３ｊを構成している。また、筐体３は、第１端面３ｄを含む第１端部３ｍと、第２端面３ｅを含む第２端部３ｎとを有している。
【００１６】
筐体３は、薄型に形成されている。すなわち、正面部３ａと背面部３ｂとの距離は、２つの側面部３ｃ間の距離、及び、第１端面３ｄと第２端面３ｅとの距離よりも短い。なお、以下では、正面部３ａ及び背面部３ｂの対向方向を筐体３の厚み方向ということがある。また、筐体３は、第１端面３ｄ及び第２端面３ｅの対向方向を長手方向、２つの側面部３ｃの対向方向を短手方向として構成されている。
【００１７】
筐体３には、種々の電子部品等が設けられている。例えば、筐体３には、正面部３ａの上方側において開口する放音孔３ｇから音響を出力する通話用の第１スピーカ８３（図１１参照）、正面部３ａの下方側において開口する収音孔３ｈから音響が入力される通話用のマイクロフォン８７（図３参照）、正面部３ａ側からユーザの操作を受け付ける操作部１１、正面部３ａ側に画像を表示する表示部１３、携帯電話機１のバッテリ２３（図２参照）を充電するための充電端子としての端子部品１５が設けられている。
【００１８】
端子部品１５は、例えば、側面部３ｃの第２端部３ｎ側（筐体３の長手方向の一端側）部分に開口する開口部３ｆから一部が露出するように筐体３内に設けられている。端子部品１５は、２つの側面部３ｃに対応して２つ設けられている（紙面右上側の開口部３ｆ及び端子部品１５は筐体３に隠れて不図示。）。
【００１９】
充電台１０１は、充電筐体１０３と、充電筐体１０３から突出する給電端子１０５とを有している。充電筐体１０３は、載置面１０３ａを下方且つ概ね水平にして机上等に載置される。携帯電話機１を保持する保持部１０３ｂは、載置面１０３ａ（水平面）に対して傾斜する傾斜面１０３ｃと、傾斜面１０３ｃの少なくとも下方側（図１の紙面右側）において傾斜面１０３ｃを囲んで立設された壁部１０３ｄとを有している。
【００２０】
給電端子１０５は、壁部１０３ｄの内側面から不図示のバネ若しくは給電端子１０５の筐体内部側部分の弾性力によって突出している。給電端子１０５は、充電台１０１の左右側方に１つずつ合計２つ設けられている（紙面手前側の給電端子１０５は壁部１０３ｄに隠れて不図示。）。
【００２１】
携帯電話機１は、充電筐体１０３の保持部１０１ｂに背面部３ｂを傾斜面１０３ｃに向けて載置される。この際、携帯電話機１の第２端部３ｎ側部分は、壁部１０３ｄによって形成された凹部に嵌合される。携帯電話機１の側面部３ｃは、壁部１０３ｄの内側面に対向し、給電端子１０５は、弾性力によって端子部品１５に当接する。
【００２２】
図２は、携帯電話機１の分解斜視図である。
【００２３】
携帯電話機１は、正面部３ａ側（図２の紙面上方側）から順に、筐体３の正面部３ａ側部分を構成するフロントケース５、操作部１１を構成する操作部材１７、種々の電子部品が互いに固定されてモジュール化されたシールドモジュール１９、アンテナ部材２１、筐体３の背面部３ｂ側部分を構成するリアケース７、バッテリ２３、及び、リアケース７と共に筐体３の背面部３ｂ側部分を構成するリッド９とを有している。
【００２４】
フロントケース５、リアケース７及びリッド９は、例えば、それぞれ非導電性の樹脂により構成されている。フロントケース５及びリアケース７は、例えば、不図示のネジにより互いに固定される。これにより、フロントケース５とリアケース７との間には、操作部材１７、シールドモジュール１９及びアンテナ部材２１が挟持される。リッド９は、バッテリ２３を筐体３内に挿脱するためのものである。リッド９は、例えば、複数の係合部９ａによりリアケース７に固定される。これにより、リアケース７の背面部３ｂ側に形成された凹部に装着されたバッテリ２３の脱落が防止される。なお、開口部３ｆはフロントケース５に形成されている。また、フロントケース５には、操作部材１７を露出させるための開口３ｋが形成されている。
【００２５】
操作部材１７は、例えば、複数のキートップ１６と、複数のキートップ１６が固着されるキーシート１８とを有している。複数のキートップ１６は、例えば、樹脂により形成されている。キーシート１８は、例えば、シリコンゴムにより形成されている。なお、操作部材１７は、複数のキートップ１６とキーシート１８との間に配置され、キーシート１８の浮き上がりを抑制する枠状部材（複数のキートップ１６に隠れて大部分が不図示）も備えている。操作部材１７は、例えば、シールドモジュール１９に載置され、フロントケース５に抑えつけられて筐体３内に固定される。なお、キーシート１８や枠状部材に筐体３やシールドモジュール１９に係合する係合部が設けられてもよい。
【００２６】
アンテナ部材２１は、例えば、筐体３の第２端部３ｎ内に配置されている。アンテナ部材２１は、例えば、非導電性の樹脂により形成された基部２１ａと、基部２１ａに固定された導電性のアンテナエレメント２１ｂとを有している。基部２１ａは、例えば、断面が概ねＬ字の、筐体３の短手方向を長手方向とする長尺状に形成されており、筐体３の第２端面３ｅの内側面に対向する取付面２１ｃを有している。アンテナエレメント２１ｂは、取付面２１ｃに積層された所定のパターンの導電層により構成されている。取付面２１ｃ及びアンテナエレメント２１ｂは、例えば、筐体３の短手方向において第２端面３ｅの概ね全体に亘って延びている。アンテナ部材２１は、例えば、基部２１ａが、シールドモジュール１９とリアケース７とに挟持されることにより筐体３に固定される。
【００２７】
図３は、シールドモジュール１９の分解斜視図である。
【００２８】
シールドモジュール１９は、背面部３ｂ側（図３の紙面下方側）から順に、メイン基板２５、フレーム２７、表示部１３を構成する表示装置２９、サブ基板３１を有している。
【００２９】
フレーム２７は、例えば、全体として概ね、筐体３の正面部３ａの内側面（操作部材１７の内側部）に対向する板状に形成されている。また、フレーム２７は、例えば、筐体３の正面部３ａに対して広い範囲に亘って配置されるように、筐体３を平面視したときに（正面部３ａに直交する方向から見たときに）筐体３の輪郭と同様の形状を有している。すなわち、本実施形態では、概ね矩形に形成されている。
【００３０】
メイン基板２５は、例えば、硬質の樹脂をベースとしたリジッドタイプのプリント基板により構成されている。メイン基板２５は、例えば、両面実装型の基板であり、実装面には種々の電子部品が実装されている。メイン基板２５は、例えば、フレーム２７の概ね半分の面積を有している。メイン基板２５は、例えば、フレーム２７のリアケース７側の面に対してネジにより固定される。
【００３１】
表示装置２９は、例えば、液晶表示装置又は有機ＥＬ装置により構成されている。表示装置２９は、例えばフレーム２７の概ね半分の面積を有している。表示装置２９は、例えば、フレーム２７のフロントケース５側の面に形成された凹部に嵌合されてフレーム２７に固定される。なお、表示装置２９は、両面テープ等の接着部材によりフレーム２７に固定されてもよい。
【００３２】
サブ基板３１は、例えば、図３の紙面上方側の実装面３１ｐに電子部品を実装する片面実装タイプのＦＰＣにより構成されている。サブ基板３１は、接続部３１ｃにおいて折り曲げられることにより、フレーム２７に巻き回される。すなわち、サブ基板３１は、フレーム２７の正面側に配置される正面基板部３１ａと、フレーム２７の背面側に配置される背面基板部３１ｂとを有している。正面基板部３１ａは、正面部３ａ側（操作部材１７の内側部）に実装面３１ｐを向けて配置され、背面基板部３１ｂは、背面部３ｂ側に実装面３１ｐを向けて配置される。正面基板部３１ａ及び背面基板部３１ｂは、例えば、フレーム２７の概ね半分の面積を有し、接着剤や両面テープ等の接着部材により、フレーム２７に固定される。
【００３３】
正面基板部３１ａには、例えば、操作部材１７を介して操作され、操作部１１を構成する複数のスイッチ３３と、操作部材１７を照明するための複数のＬＥＤ３４とが設けられている。複数のスイッチ３３は、例えば、押圧されることにより可動接点が固定接点に接触してオンされるドームスイッチにより構成されている。フレーム２７は、正面基板部３１ａが載置される載置面２８を有している。載置面２８は、例えば、概ね平面状に形成されている。従って、複数のスイッチ３３は、正面基板部３１ａを介して載置面２８により支持され、押圧による操作が確実に行われるとともに、操作感覚（クリック感）も適切に生じる。
【００３４】
背面基板部３１ｂには、例えば、不図示のＩＣカードを装着するためのスロット部品３５、サブ基板３１とメイン基板２５とを接続するコネクタ３７、アンテナ部材２１に接続される接続端子３９、通話用のマイクロフォン８７が設けられている。
【００３５】
マイクロフォン８７は、例えば、概ね円盤状に形成されており、放音面８７ａと、その背面側の端子面（背面基板部３１ｂに密着していることから不図示。）とを有している。端子面には、不図示の端子が設けられている。マイクロフォン８７は、例えば、ダイナミックマイクロフォンにより構成されており、特に図示しないが、端子に接続されたコイルと、コイルに挿通された永久磁石と、コイル又は永久磁石に固定された振動板とを有している。収音孔３ｈから入力された空気の振動（音響）は、振動板、永久磁石及び振動板を介して電気信号に変換されて、端子から出力される。
【００３６】
背面基板部３１ｂは、シールドケース２７のリアケース７側の面に配置及び固定される部分から延在するマイクロフォン用基板部３１ｅを有している。マイクロフォン８７は、端子面をマイクロフォン用基板部３１ｅの実装面３１ｐに向けて実装されている。実装は、例えば、リフロー式の半田付けにより行われる。なお、マイクロフォン８７のフレーム２７に対する配置及び固定については後述する。
【００３７】
サブ基板３１は、さらに、正面基板部３１ａの２つの側方縁部（周縁部）から延びる端子用基板部３１ｄを有している。２つの端子用基板部３１ｄにはそれぞれ、端子部品１５が実装されている。端子部品１５は、開口部３ｆから露出する面の背面をサブ基板３１の実装面３１ｐに向けて実装されている。端子用基板部３１ｄは、正面基板部３１ａに対して概ね直角に折り曲げられることにより、フレーム２７の側面の一部を構成する端子配置部２７ａに配置される（図２も参照）。端子配置部２７ａは、側面部３ｃの内側面に対向しており、端子配置部２７ａに配置された端子用基板部３１ｄの実装面３１ｐも、側面部３ｃの内側面に対向する。端子用基板部３１ｄ及び端子配置部２７ａは、例えば、接着剤や両面テープ等の接着部材により互いに固定される。
【００３８】
図４は、フレーム２７をリアケース７側から見た斜視図である。図５は、フレーム２７をフロントケース５側から見た分解斜視図である。図６は、フレーム２７をリアケース７側から見た分解斜視図である。
【００３９】
フレーム２７は、導電性のフレーム部材４５と、非導電性の延長部材４７とを有している。
【００４０】
フレーム部材４５は、例えば、フレーム２７の、第１端部３ｍ側（アンテナ部材２１とは反対側）の部分を構成するとともに、フレーム２７の大部分を構成している。フレーム部材４５は、例えば、全体が金属等の導電性の材料により形成されている。若しくは、フレーム部材４５は、樹脂等の非導電性の基体と、基体表面に積層された金属膜等の導電膜とにより構成されている。なお、フレーム部材４５は、携帯電話機１全体の強度を向上させるために、全体が金属により構成されていることが好ましい。
【００４１】
延長部材４７は、例えば、フレーム２７の、第２端部３ｎ側の端部を構成している。延長部材４７は、例えば、全体が非導電性の樹脂により構成されている。なお、延長部材４７は、強度向上のために、ガラスを含有した樹脂により構成されることが好ましい。延長部材４７は、例えば、フレーム部材４５の、第２端部３ｎ側の端部（矩形の１辺）全体に亘って伸びており、フレーム２７の、第２端部３ｎ側の端部全体を構成している。従って、延長部材４７は、一方の側面部３ｃに対向する位置から他方の側面部３ｃに対向する位置に亘って設けられている。そして、延長部材４７の長手方向（筐体３の短手方向）の両端には、上述の、端子用基板部３１ｄが配置される端子配置部２７ａが形成されている。
【００４２】
フレーム部材４５は、フロントケース５側に概ね平面状の第１平面２８ａ（図５）を有している。延長部材４７は、フロントケース５側に概ね平面状の第２平面２８ｂ（図５）を有している。第１平面２８ａ及び第２平面２８ｂは、フレーム部材４５及び延長部材４７が互いに固定されると連続し、上述の、正面基板部３１ａが載置される載置面２８を構成する（図２）。
【００４３】
フレーム部材４５と延長部材４７との固定は、例えば、以下のように行われる。延長部材４７には、第１端部３ｍ側に凹部４７ｒ（図５）が形成されている。フレーム部材４５は、第２端部３ｎ側の端部が凹部４７ｒに嵌合される。そして、ネジ４９が、凹部４７ｒの底部（フレーム部材４５のリアケース７側の面に当接する当接部４７ｅ）に形成された孔部に挿通されるとともに、フレーム部材４５の端部に形成された雌ネジ部に螺合される。なお、ネジは、フレーム部材４５に挿通されて延長部材４７に螺合されてもよいし、ボルトに螺合されてボルトとともにフレーム部材４５及び延長部材４７を挟持してもよい。また、ネジ４９は、１つでも複数でもよい。本実施形態では、ネジ４９は、フレーム部材４５の端部（１辺）に沿って複数（３つ）設けられている。
【００４４】
図７は、図４の領域ＶＩＩの拡大図である。
【００４５】
当接部４７ｅの先端には、第２平面２８ｂとは反対側（リアケース７側）に突出し、フレーム部材４５及び延長部材４７の配列方向（筐体３の長手方向）に対して面する第２壁部４７ｗが形成されている。一方、フレーム部材４５には、第１平面２８ａとは反対側（リアケース７側）に突出し、フレーム部材４５及び延長部材４７の配列方向に対して面する第１壁部４５ｗが形成されている。そして、第１壁部４５ｗ及び第２壁部４７ｗは、互いの壁面同士が当接している。すなわち、第１壁部４５ｗ及び第２壁部４７ｗは、荷重を相互に伝達可能である。
【００４６】
なお、第１壁部４５ｗ及び第２壁部４７ｗの組み合わせの数及び筐体３の長手方向の位置は適宜に設定されてよい。本実施形態では、第１壁部４５ｗ及び第２壁部４７ｗの組み合わせは、複数のネジ４９の間にそれぞれ設けられている。すなわち、本実施形態では、第１壁部４５ｗ及び第２壁部４７ｗの組み合わせは２つ設けられている。第１壁部４５ｗ及び第２壁部４７ｗの高さ（頂部の位置）及び長さ（筐体３の短手方向の大きさ）は、例えば、互いに同等に設定されている。第１壁部４５ｗ及び第２壁部４７ｗの厚さは、例えば、曲げ剛性が互いに同等になるように設定されている。すなわち、本実施形態では、第１壁部４５ｗは第２壁部４７ｗよりもやや薄い。
【００４７】
延長部材４７には、リアケース７側を凹とする凹部４７ｃが形成されている。凹部４７ｃの底部には、フロントケース５側に通じる音孔４７ｄが形成されている。マイクロフォン８７（図３）は、放音面８７ａを凹部４７ｃの底部側へ向けて凹部４７ｃに嵌合される。そして、音孔４７ｄを介して音響を出力する。
【００４８】
フレーム２７のリアケース７側（図７の紙面手前側）に配置される背面基板部３１ｂの大部分は、実装面３１ｐをリアケース７側に向けて配置され、マイクロフォン８７の放音面８７ａは、実装面３１ｐと同一方向を向いている。しかし、放音面８７ａは、マイクロフォン用基板部３１ｅが捩られることにより、フロントケース５側（図７の紙面奥手側）に向けられる。
【００４９】
図８は、図１のＶＩＩＩ−ＶＩＩＩ線矢視方向における断面図である。ただし、図８において、フロントケース５等の部材は適宜に省略されている。
【００５０】
筐体３の長手方向（図８の紙面左右方向）において、アンテナ部材２１は、フレーム部材４５よりも第２端部３ｎ側に配置されており、フレーム部材４５にほとんど重なっていない。また、筐体３の長手方向において、アンテナエレメント２１ｂは、フレーム部材４５から離間して配置されている。すなわち、アンテナ部材２１（アンテナエレメント２１ｂ）は、アンテナの放射特性に関して導電性のフレーム部材４５から影響を受けにくい位置に配置されている。
【００５１】
一方、筐体３の長手方向において、延長部材４７（第２平面２８ｂ）は、フレーム部材４５の第２端部３ｎ側に配置されており、アンテナ部材２１に重なっている。ただし、延長部材４７は、筐体３の長手方向において、アンテナエレメント２１ｂから離間している。正面基板部３１ａは、第１平面２８ａ及び第２平面２８ｂに亘って配置されている。すなわち、第２平面２８ｂは、正面基板部３１ａが載置される載置面２８を、矢印ｙ１で示す位置から矢印ｙ２で示す位置まで延長していることになる。
【００５２】
図９は、シールドモジュール１９の端子配置部２７ａ付近を拡大して示す側面図（側面部３ｃ側から見た図）である。なお、図９は、２つの端子配置部２７ａのうち図２の紙面奥手側（図２においてはシールドモジュール１９に隠れて不図示）の端子配置部２７ａ付近を示している。
【００５３】
図３及び図９に示すように、端子用基板部３１ｄは、全体として概ね矩形状に形成されるとともに、先端側（正面基板部３１ａとは反対側）の２つの角部から、端子用基板部３１ｄの正面基板部３１ａからの突出方向に直交する方向に突出する被係止部３１ｇが形成されている。
【００５４】
一方、図７に示すように、端子配置部２７ａ（延長部材４７）は、端子用基板部３１ｄが積層される載置面から突出する突出部４７ａを有している。突出部４７ａは、例えば、端子配置部２７ａの、筐体３の長手方向における両側において、当該長手方向に対向する壁状に形成されている。また、突出部４７ａは、端子用基板部３１ｄの先端側且つ端子用基板部３１ｄの載置面側に切り欠きが形成されることにより構成された係止部４７ｂを有している。
【００５５】
図９に示すように、端子用基板部３１ｄの被係止部３１ｇは、係止部４７ｂの凹部に嵌められて、係止部４７ｂに係止される。具体的には、係止部４７ｂは、被係止部３１ｇに対して、端子用基板部３１ｄの根元（正面基板部３１ａ）側から先端側へ係合するとともに、端子用基板部３１ｄの実装面３１ｐ側からその背面側へ（側面部３ｃ側から端子配置部２７ａ側へ）係合する。これにより、端子用基板部３１ｄの折り曲げが戻る方向への移動を規制するため、後のシールドモジュール１９を筺体３へ組み込むときの作業が容易になる。
【００５６】
図１０は、端子部品１５の斜視図である。図１０の紙面上方側が、開口部３ｆから筐体３外へ露出する側であり、紙面左上側から右下側への方向（端子部品１５の長手方向）は、携帯電話機１の長手方向である。
【００５７】
端子部品１５は、全体として概ね薄型直方体状に形成されており、厚さ方向の一方側に開口部３ｆから露出する当接面１５ａが設けられ、他方側に端子用基板部３１ｄに接続される被実装面１５ｃが設けられている。端子部品１５は、端子部品１５の長手方向を携帯電話機１の長手方向に一致させるように携帯電話機１に配置される（図２及び図９も参照）。被実装面１５ｃは、端子用基板部３１ｄに対向させて配置され、リフロー等により、端子用基板部３１ｄに半田付けされる。
【００５８】
端子部品１５は、板金４１と、板金４１に把持される樹脂部材４３とを有している。板金４１は、樹脂部材４３を覆っている。具体的には、概ね矩形状の樹脂部材４３の、当接面１５ａ側の面の全体、長手方向の側面の全体、及び、被実装面１５ｃ側の一部（概ね半分）を覆っている。当接面１５ａ及び被実装面１５ｃは板金４１により構成されている。樹脂部材４３は、板金４１の内部に嵌合することにより、端子部品１５の軽量化等を図りつつ板金４１の強度を向上させることなどに寄与している。
【００５９】
板金４１は、例えば、一枚の板金のプレス加工により形成されている。板金４１は、例えば、樹脂部材４３に対して矢印ｙ１で示す方向にスライドさせることにより、樹脂部材４３が板金４１内に嵌合して固定される。なお、端子部品１５は、金型内に板金４１が配置された状態で金型内に溶融状態の樹脂が充填されるインサート成形により形成されてもよい。
【００６０】
図１１は、携帯電話機１の信号処理系の構成を示すブロック図である。
【００６１】
携帯電話機１は、ＣＰＵ７１、メモリ７３、通信処理部７５、音響処理部７７及び画像処理部７９を有している。これら各部は、例えば、筐体３内に設けられた不図示の回路基板に設けられた不図示のＩＣにより構成されている。
【００６２】
ＣＰＵ７１及びメモリ７３は、操作部１１等の各種手段からの信号に基づいて所定の演算を行い、画像処理部７９等の各種手段の制御を実行する制御部として機能する。
【００６３】
通信処理部７５は、高周波回路を含んで構成されている。通信処理部７５は、電波を利用した無線通信により、通信システム（電話網やインターネット）を介した他の携帯端末装置やサーバとの通信を行うために、ＣＰＵ７１で処理された音響データ、画像データ等の各種データを変調して、アンテナ部材２１を介して送信する。また、通信処理部７５は、アンテナ部材２１を介して受信した信号を復調してＣＰＵ７１に出力する。
【００６４】
音響処理部７７は、ＣＰＵ７１からの音響データを電気信号に変換して、通話用の第１スピーカ８３、又は、報知音等を出力する第２スピーカ８５に出力する。第１スピーカ８３及び第２スピーカ８５は、音響処理部７７からの電気信号を音響に変換して出力する。一方、マイクロフォン８７は、入力された音響を電気信号に変換して音響処理部７７に出力する。音響処理部７７は、マイクロフォン８７からの電気信号を音響データに変換してＣＰＵ７１に出力する。
【００６５】
画像処理部７９は、ＣＰＵ７１からの画像データを画像信号に変換して表示部１３等の表示部へ出力する。また、撮像部８９（例えば、筐体３の背面部３ｂ側に設けられる。）から出力される撮像信号（画像データ）を所定のフォーマットの画像データに変換してＣＰＵ７１へ出力する。
【００６６】
上記の各部は、バッテリ２３から電力が供給されることによって動作する。バッテリ２３は、充電台１０１の給電回路１０７から、給電端子１０５、端子部品１５、及び、充電回路９１を介して電力が供給され、その供給された電力を蓄える。給電回路１０７は、例えば、商用電源からの交流電力を適宜な電圧の直流電圧に変換して給電端子１０５に出力する。充電回路９１は、例えば、給電回路１０７から給電端子１０５及び端子部品１５を介して供給された電力を、そのまま、又は、適宜な電圧の直流電力に変換して、バッテリ２３に供給する。なお、給電回路１０７及び充電回路９１の役割分担は、適宜に設定されてよい。充電回路９１は、例えば、メイン基板２５及び／又はサブ基板３１に設けられている。
【００６７】
以上の実施形態によれば、携帯電話機１は、操作部材１７が露出する筐体３と、筐体３内に設けられ、操作部材１７の内側部に対向する第１平面２８ａを有する導電性のフレーム部材４５と、筐体３内に、第１平面２８ａに沿う所定方向（筐体３の長手方向）においてフレーム部材４５から離間して設けられたアンテナエレメント２１ｂと、フレーム部材４５のアンテナ部材２１側の端部に固定され、第１平面２８ａに連続する第２平面２８ｂを有する非導電性の延長部材４７と、第１平面２８ａ及び第２平面２８ｂに積層され、操作部材１７の内側部に対向する実装面３１ｐを有するサブ基板３１（正面基板部３１ａ）と、実装面３１ｐに設けられ、操作部材１７を介して操作される複数のスイッチ３３と、延長部材４７のアンテナエレメント２１ｂに対向する位置とは異なる位置に設けられた端子部品１５と、を有することから、筐体３内部の部品配置を好適化して筐体３の小型化を図ることができる。すなわち、導電性のフレーム部材４５とアンテナエレメント２１ｂとを離間してアンテナの放射特性を向上させる一方で、延長部材４７によりサブ基板３１の載置面をアンテナエレメント２１ｂ側に延長し、筐体３の大型化を招くことなく操作部１１の面積を広く確保できる。さらに、延長部材４７に端子部品１５を設けていることから、サブ基板３１の載置面だけでなく、他の電子部品の配置領域も新たに確保されることになる。しかも、延長部材４７は、非導電性であるから、端子部品１５の絶縁が好適に行われる。
【００６８】
フレーム部材４５は、第１平面２８ａの背面側へ突出し、アンテナエレメント２１ｂ側に面する第１壁部４５ｗを有し、延長部材４７は、フレーム部材４５の、第１平面２８ａの背面側且つ第１壁部４５ｗよりも前記アンテナ部材側の部分に当接し、フレーム部材４５にネジ４９により固定される当接部４７ｅと、当接部４７ｅから第１平面２８ａの背面側へ突出し、第１壁部４５ｗと壁面同士が当接する第２壁部４７ｗと、を有することから、フレーム２７の曲げ剛性が高くなり、ひいては、携帯電話機１全体の曲げ剛性が高くなる。具体的には、以下のとおりである。延長部材４７は、ネジ４９によりフレーム部材４５に固定されていることから、ネジ４９の位置を支点としてフレーム部材４５に対して回転する。換言すれば、フレーム２７の曲げ剛性は、ネジ４９の位置において弱い。しかし、第１壁部４５ｗと第２壁部４７ｗとが当接して延長部材４７のフレーム部材４５に対する回転を抑制することにより、フレーム２７の曲げ剛性は高くなる。その結果、例えば、ネジ４９を筐体３の長手方向において複数設けて延長部材４７のフレーム部材４５に対する回転を抑制する必要がなくなり、ネジ４９を筐体３の短手方向に一列に配置することも可能となり、ひいては、筐体３の短手方向に細長い延長部材４７のフレーム部材４５への固定が実現される。特に、本実施形態のように、フレーム２７の一辺全体が延長部材４７により構成されている場合には、このような曲げ剛性の向上が携帯電話機１の強度向上に効果的である。
【００６９】
延長部材４７に設けられる電子部品は、筐体３に形成された開口部３ｆから露出する端子部品１５であることから、ショートしやすい部品が絶縁性の延長部材４７に設けられることになる。換言すれば、筐体３内の部品配置が好適に行われる。
【００７０】
筐体３は、第１平面２８ａ及び第２平面２８ｂの側方且つ筐体３の長手方向の側方に、フレーム部材４５及び延長部材４７を挟んで対向する一対の側面部３ｃを有し、延長部材４７は、一方の側面部３ｃに対向する位置から他方の側面部３ｃに対向する位置に亘って設けられ、端子部品１５は、延長部材４７の一対の側面部３ｃに対向する両端面（端子配置部２７ａ）にそれぞれ設けられ、一対の側面部３ｃにそれぞれ形成された開口部３ｆから露出していることから、２つの端子部品１５は、互いに離間して配置され、絶縁性が高まる。また、フレーム２７に端子部品１５を設けることから、筐体にバネ端子を設ける等の他の方法により端子を筐体側面から露出させる場合に比較して、簡素な構成で筐体の短手方向の小型化が図られる。なお、通常のフレームにおいては、全体が導電性を有することから、端子部品１５を取り付けることは一般にはなされず、また、端子部品１５が取り付けられるときには、絶縁のみを目的とした部材の増加が生じる。
【００７１】
サブ基板３１は、可撓性を有する基板であるとともに、第１平面２８ａ及び第２平面２８ｂに配置された正面基板部３１ａと、正面基板部３１ａの周縁から延在され、正面基板部３１ａに対して折り曲げられて延長部材４７の端面（端子配置部２７ａ）に配置された端子用基板部３１ｄとを有し、端子部品１５は、端子用基板部３１ｄに実装されており、延長部材４７は、端子用基板部３１ｄに対して、端子用基板部３１ｄの根元側から先端側への方向、及び、側面部３ｃから端子配置部２７ａへの方向の少なくともいずれか一方の方向（実施形態では双方）へ係合可能な係止部４７ｂを有することから、簡便に端子用基板部３１ｄを端子配置部２７ａに配置させることができる。また、延長部材４７は、樹脂により形成されていることから、係止部４７ｂの形成も容易である。
【００７２】
携帯電話機１は、マイクロフォン８７を更に有し、延長部材４７は、第２平面２８ｂの裏側に、マイクロフォン８７が配置される凹部４７ｃが形成され、凹部４７ｃの底面には、第２平面２８ｂ側に通じる音孔４７ｄが形成されていることから、マイクロフォン８７を筐体３の端部に配置することができ、通話に好適である。しかも、マイクロフォン８７を金属性のフレーム部材４５に配置した場合に比較して、ビビリ音が低減される。
【００７３】
なお、以上の実施形態において、携帯電話機１は本発明の携帯無線端末の一例であり、、第１平面２８ａは本発明の第１面の一例であり、第２平面２８ｂは本発明の第２面の一例であり、アンテナエレメント２１ｂは本発明のアンテナの一例であり、サブ基板３１は本発明のキー基板の一例であり、正面基板部３１ａは本発明のスイッチ配置部の一例であり、端子用基板部３１ｄは本発明の延在部の一例である。
【００７４】
本発明は、以上の実施形態に限定されず、種々の態様で実施されてよい。
【００７５】
携帯電子機器は、携帯電話機に限定されない。例えば、携帯電子機器は、デジタルカメラ、ＰＤＡ、ゲーム機であってもよい。筐体は、ストレートタイプのものに限定されない。例えば、折り畳み式、水平ターン式、スライド式等の、２以上の筐体が相対移動可能に連結される形式の筐体であってもよい。また、筐体は、概ね直方体状のものに限定されず、例えば、平面形状が楕円形のものであってもよい。筐体の側面部は、互いに平行なものに限定されない。例えば、平面形状が楕円形の筐体の、互いに対向する円弧部分も側面部たり得る。
【００７６】
延長部材に設けられる電子部品は、端子部品に限定されない。例えば、ＬＥＤやスイッチでもよい。端子部品は、充電端子に限定されない。例えば、携帯電子機器と、他の機器との間で、音響の情報、画像の情報、センサの検出結果等の種々の情報を含む電気信号の送信及び／又は受信を行うための端子であってもよい。また、他の機器は、充電台に限定されない。例えば、他の機器は、携帯電子機器と同様の構成を有する他の携帯電子機器であってもよい。
【００７７】
アンテナは、電波を利用した無線通信を行うものに限定されない。例えば、磁気を利用した近距離無線通信を行うものであってもよい。スイッチは押圧式のスイッチに限定されない。例えば、スイッチは、静電式のタッチセンサであってもよい。操作部材は、実施形態において示したように、一の操作部材により複数のスイッチを操作するものに限定されない。例えば、実施形態において、キーシート１８が省略され、複数のキートップ１６により複数のスイッチ３３が個別に操作されてもよい。電気音響変換部は、マイクロフォンに限定されない。電気信号を音響に変換するスピーカであってもよいし、マイクロフォンの機能とスピーカの機能とを有するものであってもよい。
【００７８】
アンテナがフレーム部材から離間される方向である所定方向は、筐体の長手方向に限定されない。例えば、短手方向であってもよい。
【図面の簡単な説明】
【００７９】
【図１】本発明の実施形態に係る携帯電話機の外観斜視図。
【図２】図１の携帯電話機の分解斜視図。
【図３】図２のシールドモジュールの分解斜視図。
【図４】図３のシールドモジュールのフレームの斜視図。
【図５】図４のフレームの分解斜視図。
【図６】図５とは異なる方向の図４のフレームの分解斜視図。
【図７】図４の領域ＶＩＩの拡大図。
【図８】図１のＶＩＩＩ−ＶＩＩＩ線矢視方向の断面図。
【図９】図２のシールドモジュールの端子部品付近を示す側面図。
【図１０】図１の携帯電話機の端子部品を示す斜視図。
【図１１】図１の携帯電話機の信号処理系の構成を示すブロック図。
【符号の説明】
【００８０】
１…携帯電話機（携帯無線装置）、３…筐体、１５…端子部品（電子部品）、１７…操作部材、２１…アンテナ部材、２１ａ…アンテナエレメント（アンテナ）、２８ａ…第１平面（第１面）、２８ｂ…第２平面（第２面）、３１…サブ基板、３３…スイッチ、４５…フレーム部材、４７…延長部材。
【図１】
0005158500.tif 000002
【図２】
0005158500.tif 000003
【図３】
0005158500.tif 000004
【図４】
0005158500.tif 000005
【図５】
0005158500.tif 000006
【図６】
0005158500.tif 000007
【図７】
0005158500.tif 000008
【図８】
0005158500.tif 000009
【図９】
0005158500.tif 000010
【図１０】
0005158500.tif 000011
【図１１】
0005158500.tif 000012